(57)【特許請求の範囲】
【請求項１】
媒体を存在させる内部空間を周囲の外部空間から遮蔽すると共に所定の通過孔が形成された隔壁と、
上記外部空間において上記隔壁に対する位置が固定され、上記通過孔を介して上記内部空間へ向けて所定の検出光を発光し、又は上記内部空間において上記検出光が上記媒体により遮断されなかったときに上記通過孔を介して当該検出光を受光する光学素子と、
上記通過孔と上記光学素子との間において上記検出光を透過させると共に物体の通過を遮断し、上記検出光の透過位置から当該検出光の光路と交差する交差方向へ少なくとも所定の離隔距離に渡り延長された透過保護部と、
上記透過保護部を上記隔壁及び上記光学素子に対し上記交差方向へ少なくとも上記離隔距離に渡り移動可能に支持する支持部と、
上記透過位置から上記交差方向と反対の方向へ上記離隔距離だけ離隔した箇所に固定して設けられ、上記透過保護部における上記隔壁と対向する表面に当接し、上記透過保護部が上記交差方向へ移動された場合に当該透過保護部の上記隔壁側における上記透過位置にあった部分を清掃する清掃部と
を具えることを特徴とする光学検出装置。
【請求項２】
上記透過保護部において上記検出光を透過させる透過部分の周囲の空間を他の空間から隔てる隔離部
をさらに具えることを特徴とする請求項１に記載の光学検出装置。
【請求項３】
上記隔離部は、
上記透過保護部の上記透過部分における上記隔壁側及び上記光学素子側の少なくとも一方に、当該透過部分から上記隔壁又は上記光学素子へ向けて延設された側壁でなる
ことを特徴とする請求項２に記載の光学検出装置。
【請求項４】
上記透過保護部における上記交差方向又はその反対方向への移動範囲を上記離隔距離とするよう規制する規制部
をさらに具えることを特徴とする請求項１に記載の光学検出装置。
【請求項５】
上記透過保護部を上記交差方向と反対の方向へ付勢する付勢部
をさらに具えることを特徴とする請求項４に記載の光学検出装置。
【請求項６】
上記透過保護部は、
上記光学素子と対向する表面における、上記透過位置から上記交差方向へ上記離隔距離だけ離れた位置からさらに上記交差方向へ、又は上記透過位置から上記交差方向と反対の方向へ、所定の第２離隔距離だけ離れた位置に、上記光学素子の発光面又は受光面と対向するよう移動された際に当該発光面又は受光面に当接する第２清掃部を具える
ことを特徴とする請求項１に記載の光学検出装置。
【請求項７】
上記透過保護部における上記交差方向又はその反対方向への移動範囲を、上記離隔距離に相当する第１の移動範囲、又は上記離隔距離に上記第２離隔距離を加えた第２の移動範囲に切り替える移動範囲切替部
をさらに具えることを特徴とする請求項６に記載の光学検出装置。
【請求項８】
上記透過保護部は、
他の光学検出装置における上記透過保護部と連結された
ことを特徴とする請求項１に記載の光学検出装置。
【請求項９】
硬貨を投入させる投入部と、
上記硬貨を種類ごとに収納する複数の収納庫と、
上記投入部に投入された上記硬貨をその種類に応じた上記収納庫へ搬送する搬送部と、
上記搬送部の所定箇所における上記硬貨の有無を検出する検出部と
を具える硬貨処理装置であって、
上記検出部は、
上記硬貨が搬送される内部空間を周囲の外部空間から遮蔽すると共に所定の通過孔が形成された隔壁と、
上記外部空間において上記隔壁に対する位置が固定され、上記通過孔を介して上記内部空間へ向けて所定の検出光を発光し、又は上記内部空間において上記検出光が上記硬貨により遮断されなかったときに上記通過孔を介して当該検出光を受光する光学素子と、
上記通過孔と上記光学素子との間において上記検出光を透過させると共に物体の通過を遮断し、上記検出光の透過位置から当該検出光の光路と交差する交差方向へ少なくとも所定の離隔距離に渡り延長された透過保護部と、
上記透過保護部を上記隔壁及び上記光学素子に対し上記交差方向へ少なくとも上記離隔距離に渡り移動可能に支持する支持部と、
上記透過位置から上記交差方向と反対の方向へ上記離隔距離だけ離隔した箇所に固定して設けられ、上記透過保護部における上記隔壁と対向する表面に当接し、上記透過保護部が上記交差方向へ移動された場合に当該透過保護部の上記隔壁側における上記透過位置にあった部分を清掃する清掃部と
を具えることを特徴とする硬貨処理装置。
【発明の詳細な説明】
【技術分野】
【０００１】
本発明は、光学検出装置及び硬貨処理装置に関し、例えばスーパーマーケットやコンビニエンスストア等のような小売店舗の精算所において使用されるレジ釣銭機に適用して好適なものである。
【背景技術】
【０００２】
近年、レジ釣銭機においては、ＰＯＳ（Point Of Sales）システム等に接続されたレジスタ部に、媒体としての紙幣や硬貨の入出金処理を行う釣銭処理部が組み合わされたものが普及しつつある。
【０００３】
この釣銭処理部のうち硬貨を処理する硬貨処理部は、例えばレジ係員に硬貨を投入させると共に釣銭用の硬貨を排出する入出金部、硬貨を搬送する搬送部、硬貨の種類を鑑別する鑑別部及び硬貨を収納する収納部等を有している。
【０００４】
また硬貨処理部は、搬送部や収納部等において検出光を発光する発光素子又は当該検出光を受光する受光素子（以下これらをまとめて光学素子と呼ぶ）が適宜配置されている（例えば、特許文献１参照）。このため硬貨処理部は、光学素子による検出結果を基に、例えば搬送した硬貨の枚数や硬貨の搬送状況及び収納量等を認識することができる。
【先行技術文献】
【特許文献】
【０００５】
【特許文献１】特開平７−３３４７２１号公報（第１図）
【発明の概要】
【発明が解決しようとする課題】
【０００６】
しかしながら、かかる構成の硬貨処理部では、硬貨の搬送等に伴って粉塵が発生してしまい、この粉塵が光学素子に付着する場合がある。このとき光学素子は、付着した粉塵により検出光が遮られることになり、硬貨が存在しないにも関わらず硬貨が存在すると誤検出してしまう。
【０００７】
このため硬貨処理部では、例えば運用を停止して保守作業が行われ、光学素子の発光面や受光面等が清掃されて粉塵が除去されることにより、再び当該光学素子によって硬貨の有無を正しく検出できるようになる。
【０００８】
しかしながらこのような保守作業が行われる間、硬貨処理部は釣銭機の運用を停止させ、可用性を低下させることになってしまう。
【０００９】
そこで、例えば図１０に示すように、硬貨処理部内に設けた光学検出部３３０に外部からの移動操作が可能な清掃バー３４４を設け、この清掃バー３４４に清掃モヘア３４９を取り付けておくことが考えられる。
【００１０】
この光学検出部３３０では、分解清掃のような大がかりな作業を伴うことなく、外部からの操作によって清掃バー３４４を移動させることにより、光学素子３４３の発光面や受光面等を清掃すること可能となる。
【００１１】
この清掃バー３４４は、所定箇所に切り欠きが形成されており、通常の運用時には光学素子３４３において発光又は受光する検出光を遮断することなく通過させることができる。
【００１２】
しかしながら清掃バー３４４は、清掃作業の期間中、清掃モヘア３４９より光学素子３４３の発光面や受光面等を遮ることになる。このため光学検出部３３０では、清掃作業の期間中、硬貨の有無を正しく検出することができない。
【００１３】
すなわちこの光学検出部３３０を有する硬貨処理部においても、清掃作業中に運用を停止しなければならず、可用性が低下してしまうという問題があった。
【００１４】
本発明は以上の点を考慮してなされたもので、可用性を高め得る光学検出装置及び硬貨処理装置を提案しようとするものである。
【課題を解決するための手段】
【００１５】
かかる課題を解決するため本発明の光学検出装置においては、媒体を存在させる内部空間を周囲の外部空間から遮蔽すると共に所定の通過孔が形成された隔壁と、外部空間において隔壁に対する位置が固定され、通過孔を介して内部空間へ向けて所定の検出光を発光し、又は内部空間において検出光が媒体により遮断されなかったときに通過孔を介して当該検出光を受光する光学素子と、通過孔と光学素子との間において検出光を透過させると共に物体の通過を遮断し、検出光の透過位置から当該検出光の光路と交差する交差方向へ少なくとも所定の離隔距離に渡り延長された透過保護部と、透過保護部を隔壁及び光学素子に対し交差方向へ少なくとも離隔距離に渡り移動可能に支持する支持部と、透過位置から交差方向と反対の方向へ離隔距離だけ離隔した箇所に固定して設けられ、透過保護部における隔壁と対向する表面に当接し、透過保護部が交差方向へ移動された場合に当該透過保護部の隔壁側における透過位置にあった部分を清掃する清掃部とを設けるようにした。
【００１６】
これにより、隔壁の通過孔を介して進入する粉塵等を光学素子ではなく透過保護部に付着させることができ、付着した粉塵等については透過保護部を交差方向へ移動させ清掃部に払わせることにより除去でき、除去する間も検出光が透過保護部における他の箇所を透過できるため、媒体の検出を中断せずに済む。
【００１７】
また本発明の硬貨処理装置においては、硬貨を投入させる投入部と、硬貨を種類ごとに収納する複数の収納庫と、投入部に投入された硬貨をその種類に応じた収納庫へ搬送する搬送部と、搬送部の所定箇所における硬貨の有無を検出する検出部とを設け、検出部は、硬貨が搬送される内部空間を周囲の外部空間から遮蔽すると共に所定の通過孔が形成された隔壁と、外部空間において隔壁に対する位置が固定され、通過孔を介して内部空間へ向けて所定の検出光を発光し、又は内部空間において検出光が硬貨により遮断されなかったときに通過孔を介して当該検出光を受光する光学素子と、通過孔と光学素子との間において検出光を透過させると共に物体の通過を遮断し、検出光の透過位置から当該検出光の光路と交差する交差方向へ少なくとも所定の離隔距離に渡り延長された透過保護部と、透過保護部を隔壁及び光学素子に対し交差方向へ少なくとも離隔距離に渡り移動可能に支持する支持部と、透過位置から交差方向と反対の方向へ離隔距離だけ離隔した箇所に固定して設けられ、透過保護部における隔壁と対向する表面に当接し、透過保護部が交差方向へ移動された場合に当該透過保護部の隔壁側における透過位置にあった部分を清掃する清掃部とを設けるようにした。
【００１８】
これにより、検出部において、隔壁の通過孔を介して進入する粉塵等を光学素子ではなく透過保護部に付着させることができ、付着した粉塵等については透過保護部を交差方向へ移動させ清掃部に払わせることにより除去でき、除去する間も検出光が透過保護部における他の箇所を透過できるため、媒体の検出を中断せずに済む。
【発明の効果】
【００１９】
本発明によれば、隔壁の通過孔を介して進入する粉塵等を光学素子ではなく透過保護部に付着させることができ、付着した粉塵等については透過保護部を交差方向へ移動させ清掃部に払わせることにより除去でき、除去する間も検出光が透過保護部における他の箇所を透過できるため、媒体の検出を中断せずに済む。かくして本発明は、可用性を高め得る光学検出装置を実現できる。
【００２０】
また本発明によれば、検出部において、隔壁の通過孔を介して進入する粉塵等を光学素子ではなく透過保護部に付着させることができ、付着した粉塵等については透過保護部を交差方向へ移動させ清掃部に払わせることにより除去でき、除去する間も検出光が透過保護部における他の箇所を透過できるため、媒体の検出を中断せずに済む。かくして本発明は、可用性を高め得る硬貨処理装置を実現できる。
【図面の簡単な説明】
【００２１】
【図１】レジ釣銭機の全体構成を示す略線的斜視図である。
【図２】硬貨処理部の構成（１）を示す略線的平面図である。
【図３】硬貨処理部の構成（２）を示す略線的側面図である。
【図４】搬送部の構成を示す略線図である。
【図５】光学検出部の構成を示す略線図である。
【図６】第１の実施の形態による発光部の構成を示す略線図である。
【図７】第２の実施の形態による発光部の構成（１）を示す略線図である。
【図８】第２の実施の形態による発光部の構成（２）を示す略線図である。
【図９】第３の実施の形態による発光部の構成を示す略線図である。
【図１０】従来の光学検出部の構成を示す略線図である。
【発明を実施するための形態】
【００２２】
以下、発明を実施するための形態（以下実施の形態とする）について、図面を用いて説明する。
【００２３】
［１．第１の実施の形態］
［１−１．レジ釣銭機の構成］
図１に外観を示すように、レジ釣銭機１は、大きく分けて上側のレジスタ部２と、下側の釣銭処理部３とにより構成されている。このレジ釣銭機１は、例えばスーパーマーケットやコンビニエンスストアのような小売店舗の精算所（いわゆるレジ）において、顧客が購入したい商品を精算する際に、レジ係員により操作されるようになされている。
【００２４】
なお以下では、レジ係員が対峙する側面及びその反対面をそれぞれ前面及び後面とし、さらに当該レジ係員から見て左右及び上下を定義して説明する。
【００２５】
レジスタ部２は、内蔵された制御部５によりレジ釣銭機１全体を統括制御するようになされている。またレジスタ部２には、図示しないバーコードリーダが接続されており、商品に付されたバーコードをこのバーコードリーダで読み取ることにより、当該商品を認識するようになされている。
【００２６】
表示操作部６は、液晶ディスプレイ等でなる表示部と、当該液晶ディスプレイに重ねて配置されたタッチパネル等でなる操作部とにより構成されている。
【００２７】
表示操作部６は、認識した商品の名称や金額等を液晶ディスプレイに表示する。また表示操作部６は、表示画面の一部に数字等の入力キーを表示しており、タッチパネル上の入力キーに対応する箇所が押下操作されると、当該入力キーに対応した入力操作を受け付けて制御部５へ送信する。これに応じて制御部５は、商品の数量の増減や金額の修正等の各処理を行うようになされている。
【００２８】
またレジスタ部２には、レシート処理部７が内蔵されている。レシート処理部７は、認識した商品の名称や金額等をレシートに印字し、これをレシート排出口７Ａから排出するようになされている。
【００２９】
一方、釣銭処理部３は、大きく分けて、左側の硬貨処理部１１と、右側の紙幣処理部１２と、前側上部の表示操作部１３とにより構成されている。
【００３０】
表示操作部１３は、所定の表示パネル及び所定の操作ボタンの組み合わせにより構成されている。
【００３１】
表示操作部１３の表示パネルは、硬貨処理部１１及び紙幣処理部１２における稼働状況を表示するようになされており、例えば硬貨処理部１１において釣銭用の硬貨が不足していることや、光学検出部（後述する）により異常を検出したこと、或いはその箇所等を表示する。
【００３２】
表示操作部１３の操作ボタンは、レジ係員等による押下操作を介して、例えば硬貨の搬送等に関する指示を受け付けるようになされている。
【００３３】
紙幣処理部１２は、レジ係員により紙幣入出口１５から投入された紙幣を紙幣鑑別部（図示せず）により鑑別して内部の紙幣収納庫に収納すると共に、制御部５から指示された紙幣を内部の紙幣収納庫から取り出し、これを紙幣入出口１５から釣銭として排出するようになされている。
【００３４】
［１−２．硬貨処理部の構成］
硬貨処理部１１は、図２に平面図を示すと共に図３に側面図を示すように、硬貨処理部筐体２０内に全体を制御する制御部２１を有している。因みに図中の矢印は、硬貨ＣＮの進行経路を表している。
【００３５】
制御部２１は、図示しないＣＰＵ（Central Processing Unit）を中心に構成されており、図示しないＲＯＭやフラッシュメモリ等から所定のプログラムを読み出して実行することにより、硬貨処理部１１を統括制御するようになされている。
【００３６】
硬貨処理部筐体２０の前側には、媒体としての硬貨ＣＮを投入する硬貨投入口２２、正常でないと鑑別された（すなわちリジェクトされた）硬貨ＣＮを排出する硬貨リジェクト口２５、及び釣銭としての硬貨ＣＮを排出する硬貨排出口２９が設けられている。
【００３７】
硬貨投入口２２は、すり鉢状にえぐられたような形状に形成されると共に、その底部に硬貨ＣＮを１枚ずつ排出する排出機構（図示せず）が組み込まれている。また硬貨投入口２２には、所定箇所に硬貨ＣＮの有無を検出する光学素子（図示せず）が組み込まれており、その検出結果を制御部２１へ通知するようになされている。
【００３８】
実際の精算処理において、レジ係員等が顧客から商品の代金として硬貨ＣＮを預かると、この硬貨ＣＮは、レジ係員等によりまとめて硬貨投入口２２へ投入される。硬貨投入口２２は、光学素子により硬貨ＣＮが投入されたことを検出すると、制御部２１の制御に基づき、硬貨ＣＮを１枚ずつ硬貨鑑別部２３に受け渡す。
【００３９】
硬貨鑑別部２３は、硬貨ＣＮの金種（例えば１円、５円、１０円、５０円、１００円及び５００円の６種類）及び真偽等を鑑別し、異常であれば当該硬貨ＣＮを硬貨リジェクト口２５へ送出し、正常であれば当該硬貨ＣＮを搬送部２４に受け渡す。また硬貨鑑別部２３は、硬貨ＣＮの鑑別結果を制御部２１へ通知するようになされている。
【００４０】
搬送部２４は、図４に示すように、無端状のゴムベルト２４Ｂをステッピングモータやプーリ等（いずれも図示せず）により駆動し、当該ゴムベルト２４Ｂにより硬貨ＣＮを平滑に形成された搬送面２４Ａ上で後方へ向けて搬送する。
【００４１】
また搬送面２４Ａには、前方から後方へ向かうに連れて、硬貨ＣＮの金種ごとの直径よりも僅かに大きな孔径でなる選別孔２６Ａ、２６Ｂ、２６Ｃ、２６Ｄ、２６Ｅ及び２６Ｆが順次穿設されている（図２）。
【００４２】
因みに選別孔２６Ａ、２６Ｂ、２６Ｃ、２６Ｄ、２６Ｅ及び２６Ｆは、孔径が順次大きくなるよう、１円、５０円、５円、１００円、１０円及び５００円の順にそれぞれ対応する孔径に設定されている。
【００４３】
選別孔２６Ａ、２６Ｂ、２６Ｃ、２６Ｄ、２６Ｅ及び２６Ｆは、それぞれ硬貨ＣＮを収納する硬貨収納庫２７Ａ、２７Ｂ、２７Ｃ、２７Ｄ、２７Ｅ及び２７Ｆと連通されている。
【００４４】
かかる構成により搬送部２４は、搬送面２４Ａ上において硬貨ＣＮを後方へ向けて進行させると共に、当該硬貨ＣＮと対応する孔径でなる選別孔２６Ａ〜２６Ｆからそれぞれ落下させ、当該硬貨ＣＮをそれぞれの金種に対応した硬貨収納庫２７Ａ〜２７Ｆに収納させる。
【００４５】
硬貨収納庫２７Ａ〜２７Ｆは、それぞれ硬貨ＣＮを積層して収納するようになされており、また制御部２１の制御に基づき、収納している硬貨ＣＮを図示しない排出機構により搬送部２８へ１枚ずつ排出するようになされている。
【００４６】
実際上、制御部２１は、釣銭として顧客に渡すべき金額に応じて硬貨ＣＮの種類及び枚数を決定した上で、決定した種類及び枚数の硬貨ＣＮを硬貨収納庫２７Ａ〜２７Ｆからそれぞれ排出させるようになされている。
【００４７】
搬送部２８は、無端ベルト、ステッピングモータ及びプーリ等（図示せず）により構成されており、硬貨収納庫２７Ａ〜２７Ｆから排出された硬貨ＣＮを前方へ搬送し、硬貨排出口２９へ落とし込む。
【００４８】
硬貨排出口２９は、硬貨処理部１１の前面下部から前方へ突出すると共に上部中央が椀状にえぐられたような形状でなり、搬送部２８から落とし込まれた硬貨ＣＮを受け止めて保持すると共に、前上方から容易に取り出せるようになされている。
【００４９】
硬貨排出口２９内に落とし込まれた硬貨ＣＮは、硬貨処理部１１の前方に対峙するレジ係員により取り出され、釣銭として顧客に渡される。
【００５０】
このように硬貨処理部１１は、顧客から商品等の代金として支払われ硬貨投入口２２に投入された硬貨ＣＮを金種ごとに分別して硬貨収納庫２７Ａ〜２７Ｆに収納すると共に、釣銭として渡すべき硬貨ＣＮを硬貨収納庫２７Ａ〜２７Ｆから取り出して硬貨排出口２９から排出するようになされている。
【００５１】
［１−３．光学検出部の構成］
ところで、硬貨処理部１１において搬送部２４や選別孔２６Ａ〜２６Ｆのように硬貨ＣＮが通過する部分には、適切な箇所に光学検出部が適宜設けられており、この光学検出部により硬貨ＣＮの通過や停止（すなわち詰まり）等を検出するようになされている。
【００５２】
例えば図５に示すように、選別孔２６Ａは、その孔径に対応する硬貨ＣＮを搬送部２４から矢印Ｗ１のように落下させ、この硬貨ＣＮを矢印Ｘ方向へ進行させる。
【００５３】
選別孔２６Ａにおける硬貨ＣＮの進行経路には、光学検出部３０が設けられている。因みに選別孔２６Ｂ〜２６Ｆにおいても、同様に光学検出部３０が設けられている。
【００５４】
光学検出部３０は、大きく分けて検出光Ｌを発光する発光部３１と当該検出光Ｌを受光する受光部３２とにより構成されている。
【００５５】
［１−３−１．発光部の構成］
発光部３１において、選別孔２６Ａの側壁を形成するフレーム４１の外方、すなわち選別孔２６Ａの外部の空間には、当該フレーム４１から所定間隔を隔てた位置に、板状の取付板４２が設けられている。取付板４２は、例えば金属板でなり、所定形状の取付穴が穿設されると共に、この取付穴を介して発光素子４３が取り付けられている。
【００５６】
発光素子４３は、制御部２１によって制御されており、当該制御部２１の制御に基づき、矢印Ｘ方向とほぼ直交する矢印Ｙ方向に沿って、すなわち選別孔２６Ａ内の空間へ向けて検出光Ｌを発光する。この検出光Ｌは、所定波長の光でなり、その光路上に何ら物体が存在しない場合には受光部３２へ進行し、光路上に硬貨ＣＮがある場合には当該硬貨ＣＮにより遮断される。
【００５７】
発光素子４３の発光部分とフレーム４１との間には、透過保護部４４が設けられている。透過保護部４４は、図６に示すように、薄板状の板状部４５と、円柱状の円柱状部４６と、円板状の円板状部４７とが互いに前後方向に連結されたような形状となっている。
【００５８】
因みに図６では、選別孔２６Ａ及び２６Ｂにそれぞれ対応する発光素子４３を、それぞれ発光素子４３Ａ及び４３Ｂとして示している。
【００５９】
板状部４５は、前後方向に関し、選別孔２６Ａ〜２６Ｆにそれぞれ設けられた全ての発光素子４３と対向するよう長く形成されており、また矢印Ｘ方向に関し、発光素子４３Ａの発光面における幅よりも広くなっている（図５）。すなわち板状部４５は、検出光Ｌの進行方向である矢印Ｙ方向とほぼ直交する前後方向に細長い薄板状に形成され、発光素子４３Ａの発光面を覆うように配置されている。
【００６０】
また板状部４５は、透明な樹脂材料により構成されると共に、表面が滑らかに仕上げられている。このため板状部４５は、物体の物理的な通過を遮断する一方、発光素子４３により発光された検出光Ｌを高い透過率で透過させることができる。
【００６１】
またフレーム４１における検出光Ｌの照射箇所近傍には、通過孔４１Ａが穿設されている。この通過孔４１Ａの孔径は、発光素子４３の取付位置に誤差が生じる可能性を踏まえて、検出光Ｌの直径よりもある程度大きくなっている。すなわちフレーム４１は、通過孔４１Ａを介して検出光Ｌを遮断せず進行させるようになされている。
【００６２】
かくして発光部３１では、フレーム４１の外方に配置された発光素子４３から検出光Ｌを発光し、透過保護部４４の板状部４５を透過させてフレーム４１の通過孔４１Ａを通過させた上で、当該検出光Ｌを選別孔２６Ａ内へ進行させる。
【００６３】
ところで透過保護部４４は、フレーム４１から突設された支持柱４１Ｓ及び取付板４２から突設された支持柱４２Ｓによって板状部４５が挟まれることにより、前後方向へ移動可能に支持されている。因みに板状部４５を構成する樹脂材料は、比較的硬質となっており、その形状を十分に維持できるようになされている。
【００６４】
透過保護部４４の円柱状部４６は、硬貨処理部筐体２０に穿設された孔部２０Ｈに挿通され、その一部が硬貨処理部筐体２０の前面から前方へ突出した状態となっている（図１）。また円柱状部４６における後寄りの所定箇所には、透過保護部４４の移動範囲を規制するストッパ４６Ｓが設けられている。
【００６５】
さらに円柱状部４６の周囲には、円板状部４７と硬貨処理部筐体２０との間に挟まれるように付勢部としてのばね４８が設けられている。ばね４８は、その外径が円板状部４７の外径よりも小さいコイルばねでなり、自然長から縮められた状態で円板状部４７と硬貨処理部筐体２０との間に挟まれている。
【００６６】
かかる構成により発光部３１は、透過保護部４４に何ら外力が加えられていないときには、図６（Ａ）に示したように、ばね４８の復元力により当該透過保護部４４を前方へ付勢し、ストッパ４６Ｓを硬貨処理部筐体２０に当接させた状態となる（以下これを定常状態と呼ぶ）。
【００６７】
また発光部３１は、レジ係員の指先等により透過保護部４４の円板状部４７に後方へ向かう外力が加えられると、ばね４８を圧縮しながら透過保護部４４を後方へ移動させ、図６（Ｂ）に示すように、当該ばね４８を最も圧縮した状態となる（以下これを後退状態と呼ぶ）。
【００６８】
その後発光部３１は、外力が解放されると、ばね４８の復元力により透過保護部４４を前方へ付勢して移動させ、図６（Ｃ）に示すように、再びストッパ４６Ｓを硬貨処理部筐体２０に当接させた状態、すなわち定常状態に戻る。
【００６９】
このように発光部３１では、透過保護部４４に加えられる後方向への外力に応じて、定常状態と後退状態との間を移動範囲として、当該透過保護部４４を前後方向へ移動させ得るようになされている。
【００７０】
このとき板状部４５は、その前方に連結された円柱状部４６及び円板状部４７に前後方向への力が加えられるだけで、変形することなく、矢印Ｙ方向（すなわち検出光Ｌの進行方向）とほぼ直交する前後方向へ移動することができる。
【００７１】
また板状部４５は、前後方向に長く形成されているため、移動範囲内のいずれにおいても、検出光Ｌが照射される箇所に透明な部分を位置させることができ、当該検出光Ｌを常に高い透過率で透過させることができる。
【００７２】
具体的に透過保護部４４は、定常状態においては位置４５Ａ１を、後退状態においては位置４５Ａ２を、それぞれ板状部４５における検出光Ｌの透過箇所とする。
【００７３】
さらにフレーム４１の透過保護部４４側には、通過孔４１Ａのすぐ後方、すなわち検出光Ｌの光路から外れた箇所に、清掃モヘア４９Ａが取り付けられている。
【００７４】
清掃モヘア４９Ａは、フレーム４１から透過保護部４４の板状部４５へ向けて伸びた多数の細かく柔らかい毛により構成されており、その毛先を板状部４５における選別孔２６Ａ側の表面４５Ｘに当接させている。
【００７５】
また清掃モヘア４９Ａは、矢印Ｘ方向、すなわち板状部４５の幅方向に関し、検出光Ｌのビーム幅よりも広い範囲に渡って設けられている。
【００７６】
このため清掃モヘア４９Ａは、透過保護部４４が前後に移動する際、板状部４５の表面４５Ｘを撫でるように払う。このとき清掃モヘア４９Ａは、表面４５Ｘに異物が付着していた場合、この異物を表面４５Ｘから払い落とし、或いは絡め取り、若しくは表面４５Ｘ上で移動させることになる。
【００７７】
ところで硬貨処理部１１では、図２及び図３に示したように、選別孔２６Ａ〜２６Ｆが前後方向に互いに隣接するよう配置されている。また選別孔２６Ａ〜２６Ｆでは、それぞれの発光部３１が互いに隣接するよう配置されている。
【００７８】
このような配置を踏まえ、選別孔２６Ａ〜２６Ｆの各発光部３１では、上述したように板状部４５を前後方向に長く形成することにより、透過保護部４４を互いに共有する構成とした（図６（Ａ）〜（Ｃ））。
【００７９】
このため透過保護部４４は、円板状部４７に対するレジ係員の操作等に応じて前後方向へ移動した際に、選別孔２６Ａ〜２６Ｆにおけるそれぞれの発光部３１において、清掃モヘア４９Ａ等により板状部４５の表面を一斉に払うことができる。
【００８０】
このように発光部３１では、通常時には透過保護部４４を定常状態とし、外力が加えられて透過保護部４４を後方向へ移動させる際には、板状部４５により検出光Ｌを常に透過させながら、検出光Ｌの光路外において、その表面４５Ｘの一部を清掃モヘア４９Ａにより払わせるようになされている。
【００８１】
［１−３−２．受光部の構成］
受光部３２（図５）は、発光部３１のフレーム４１、取付板４２、発光素子４３及び透過保護部４４とそれぞれ対応するフレーム５１、取付板５２、受光素子５３及び透過保護部５４により構成されている。
【００８２】
フレーム５１は、選別孔２６Ａの中心を挟んでフレーム４１と対向する側壁を構成している。またフレーム５１における検出光Ｌの照射箇所近傍には、通過孔４１Ａと同様の通過孔５１Ａが穿設されている。また通過孔５１Ａの後方には、清掃モヘア４９と対応する清掃モヘア（図示せず）が設けられている。
【００８３】
取付板５２は、取付板４２と同様に、金属板でなると共に所定形状の取付穴が穿設されており、選別孔２６Ａを挟んで取付板４２と対向する箇所に配置されている。
【００８４】
受光素子５３は、取付板５２の取付穴に取り付けられており、選別孔２６Ａを挟んで発光素子４３と対向する位置に設けられている。受光素子５３は、制御部２１と接続されており、受光部分において光を受光したか否か及び受光したときの光量等を受光結果として当該制御部２１へ通知するようになされている。
【００８５】
透過保護部５４は、透過保護部４４と同様に構成されており、板状部４５と対応する板状部５５を有している。この板状部５５は、板状部４５と同様、透明な樹脂材料により構成されると共に、表面が滑らかに仕上げられている。
【００８６】
かくして受光部３２は、発光部３１において発光され矢印Ｙ方向へ進行する検出光Ｌに対し、フレーム５１の通過孔５１Ａを通過させ、透過保護部５４の板状部５５を透過させた後、フレーム５１の外方に配置された受光素子５３へ入射させる。
【００８７】
受光素子５３は、検出光Ｌの受光結果を制御部２１へ通知する。これに応じて制御部２１は、検出光Ｌが一時的に遮られたか否か、すなわち選別孔２６Ａを硬貨ＣＮが通過したか否かを検出するようになされている。
【００８８】
また受光部３２の透過保護部５４は、発光部３１の透過保護部４４と同様、外力に応じて前後方向へ移動するようになされている。
【００８９】
すなわち受光部３２は、外力に応じて透過保護部５４を前後方向へ移動させる際、フレーム５１により検出光Ｌを常に透過させたまま、その表面の一部を清掃モヘア（図示せず）により払わせるようになされている。
【００９０】
［１−４．動作及び効果］
以上の構成において、第１の実施の形態によるレジ釣銭機１の硬貨処理部１１は、選別孔２６Ａ〜２６Ｆの光学検出部３０を発光部３１及び受光部３２により構成した。
【００９１】
発光部３１は、通常時においてばね４８の作用により透過保護部４４が定常状態（図６（Ａ））とし、発光素子４３から検出光Ｌを発光させる。この検出光Ｌは、透過保護部４４の透明な板状部４５を透過し、フレーム４１の通過孔４１Ａを通過して選別孔２６Ａ内へ進行する。
【００９２】
選別孔２６Ａ内では、硬貨ＣＮの搬送に伴って粉塵が発生し、周囲のフレーム４１や５１等に付着する。またこの粉塵は、フレーム４１に穿設された通過孔４１Ａを通過し、フレーム４１の外部へも進行する。
【００９３】
通過孔４１Ａを通過した粉塵は、透過保護部４４の板状部４５における、表面４５Ｘのうち通過孔４１Ａに最も近い箇所、すなわち位置４５Ａ１の近傍に付着する。以下、板状部４５の表面４５Ｘに付着した粉塵を異物ＦＢと呼ぶ。
【００９４】
また透過保護部４４の板状部４５は、発光素子４３の発光部を全て覆うように、当該発光素子４３のすぐ近傍に配置されている。このため発光素子４３には、粉塵が殆ど付着しない。
【００９５】
透過保護部４４の板状部４５に対する異物ＦＢの付着量は、時間の経過と共に増加する。また板状部４５に付着した異物ＦＢは、検出光Ｌを減衰させ、その付着量の増加に応じて減衰量も増加することになる。
【００９６】
光学検出部３０では、板状部４５に対する異物ＦＢの付着量が増加すると、受光素子５３による受光量が減少し、硬貨ＣＮの通過による光量の変化を十分に検出できなくなる恐れがある。
【００９７】
そこで制御部２１は、受光素子５３による受光量が所定のしきい値を下回ると、表示操作部１３（図１）に所定の警告を表示し、レジ係員に対し異物ＦＢの付着を通知する。これに応じてレジ係員は、指先等により透過保護部４４の円板状部４７を後方向へ押し込む。
【００９８】
レジ係員の操作により、透過保護部４４及びその一部である板状部４５は、後方向へ移動して後退状態となる（図６（Ｂ））。このとき板状部４５は、検出光Ｌの透過箇所を位置４５Ａ１から位置４５Ａ２へ移動させるが、当該板状部４５が全体的に透明な部材により構成されているため、当該検出光Ｌを遮ることなく、常に透過させることができる。
【００９９】
また板状部４５は、清掃モヘア４９Ａにより位置４５Ａ１が払われる。これにより板状部４５の位置４５Ａ１に付着していた異物ＦＢは、清掃モヘア４９Ａにより払い落とされ、或いは絡め取られ、若しくは表面４５Ｘ上で移動されることにより、位置４５Ａ１から除去される。
【０１００】
すなわち発光部３１では、検出光Ｌの光路外に配置した清掃モヘア４９Ａにより、検出光Ｌの光路を遮ることなく、位置４５Ａ１に付着していた異物ＦＢを除去することができる。
【０１０１】
その後、レジ係員が指先等を透過保護部４４の円板状部４７から離すことにより、ばね４８の復元力が作用し、透過保護部４４が前方向へ移動して再び定常状態に戻る（図６（Ｃ））。この過程において板状部４５は、検出光Ｌの透過箇所を位置４５Ａ２から位置４５Ａ１へ移動させるが、やはり検出光Ｌを遮ることなく常に透過させることができる。
【０１０２】
定常状態に戻った透過保護部４４は、清掃モヘア４９Ａにより位置４５Ａ１の異物ＦＢが除去されているため、検出光Ｌを減衰させることなく、選別孔２６Ａ内へ進行させることができる。
【０１０３】
このように発光部３１では、定常状態において透過保護部４４の板状部４５により発光素子４３の発光面を保護し、異物ＦＢを当該発光素子４３ではなく板状部４５の位置４５Ａ１に付着させる。そして発光部３１は、透過保護部４４を一時的に後方へ移動させ後退状態とすることにより、清掃中も検出光Ｌを遮断することなく、清掃モヘア４９Ａによって板状部４５の位置４５Ａ１から異物ＦＢを除去することができる。
【０１０４】
また硬貨処理部１１は、選別孔２６Ａ〜２６Ｆの各発光部３１において、透過保護部４４を共有するよう構成したため、レジ係員等に当該透過保護部４４を操作させるだけで、６箇所の発光部３１において一斉に板状部４５の表面から異物ＦＢを除去させることができる。
【０１０５】
また受光部３２においても、発光部３１と同様、透過保護部５４の板状部５５により受光素子５３の受光面を保護し、異物ＦＢを当該受光素子５３ではなく板状部５５に付着させる。そして受光部３２は、透過保護部５４を一時的に後方へ移動させ後退状態とすることにより、清掃中も検出光Ｌを遮断することなく、清掃モヘア（図示せず）によって板状部５５から異物ＦＢを除去することができる。
【０１０６】
これによりレジ釣銭機１では、異物ＦＢにより検出光Ｌの受光量が減少し、硬貨ＣＮを適切に検出できなくなる恐れがある場合に、レジ係員の操作により透過保護部４４及び５４を一時的に後方へ移動させて再び元の位置に戻させるだけで、検出光Ｌの光路上から異物ＦＢを除去することができる。すなわちレジ釣銭機１では、運用を停止することなく光学検出部３０により硬貨ＣＮを適切に検出できる状態を極力維持すること、すなわち可用性を高めることができる。
【０１０７】
以上の構成によれば、レジ釣銭機１の硬貨処理部１１は、光学検出部３０の発光部３１において、発光素子４３から検出光Ｌを発光し、透過保護部４４の板状部４５における位置４５Ａ１を透過させ、フレーム４１の通過孔４１Ａを通過させて選別孔２６Ａ内へ進行させる。発光部３１は、異物ＦＢが位置４５Ａ１の近傍に付着した場合、透過保護部４４を一時的に後方へ移動させることにより、検出光Ｌに位置４５Ａ２を透過させながら、フレーム４１に取り付けられた清掃モヘア４９Ａにより位置４５Ａ１の異物ＦＢを除去させる。かくしてレジ釣銭機１は、運用を停止することなく、光学検出部３０により硬貨ＣＮを適切に検出できる状態を維持することができる。
【０１０８】
［２．第２の実施の形態］
第２の実施の形態によるレジ釣銭機１０１（図１）は、第１の実施の形態によるレジ釣銭機１と比較して、硬貨処理部１１に代わる硬貨処理部１１１を有する点が相違するものの、他の点については同様に構成されている。
【０１０９】
硬貨処理部１１１は、第１の実施の形態による硬貨処理部１１と比較して、光学検出部３０、発光部３１及び受光部３２に代わる光学検出部１３０、発光部１３１及び受光部１３２を有する点が相違するものの、他の点については同様に構成されている。
【０１１０】
［２−１．光学検出部の構成］
図６（Ａ）との対応部分に同一符号を付した図７に示すように、光学検出部１３０の発光部１３１は、発光部３１と比較して、透過保護部４４に代わる透過保護部１４４を有する点が相違するものの、他の点については同様に構成されている。
【０１１１】
透過保護部１４４は、図８に断面図を示すように、板状部４５における短辺方向の両端から、フレーム４１へ向けて（すなわち矢印Ｙ方向へ）薄板状の側壁部１４６がそれぞれ延設されると共に、取付板４２へ向けて（すなわち矢印Ｙと反対の方向へ）薄板状の側壁部１４７がそれぞれ延設されている。
【０１１２】
側壁部１４６は、フレーム４１との間に極めて狭い隙間を形成しており、外部からの粉塵等の進入を極力防止すると共に、移動時に当該フレーム４１との間に摩擦を生じないようになされている。
【０１１３】
また透過保護部１４４には、板状部４５と対応して側壁部１４６が前後方向に延長されているものの、清掃モヘア４９Ａと対応する箇所において当該側壁部１４６が省略されることにより、排出部１４８が形成されている。
【０１１４】
側壁部１４７は、取付板４２との間に極めて狭い隙間を形成しており、外部からの粉塵等の進入を極力防止すると共に、移動時に当該取付板４２との間に摩擦を生じないようになされている。
【０１１５】
このように発光部１３１の透過保護部１４４は、第１の実施の形態における透過保護部４４の板状部４５に側壁部１４６及び１４７を増設したことにより、板状部４５近傍の空間をその周囲の空間から隔てたような構成となっている。
【０１１６】
また透過保護部１４４は、第１の実施の形態と同様、円柱状部４６及び円板状部４７を有し、当該円板状部４７と硬貨処理部筐体２０との間にばね４８を挟み込んでおり、さらに支持柱４１Ｓ及び４２Ｓにより前後方向へ移動可能に支持されている。
【０１１７】
このため発光部１３１は、第１の実施の形態と同様、透過保護部１４４に何ら外力が加えられていないときには定常状態にある（図７）。そして発光部１３１は、第１の実施の形態と同様、透過保護部１４４に後方へ向かう外力が加えられるとばね４８を圧縮しながら後方へ移動させて後退状態となり、この外力が解放されるとばね４８の復元力により透過保護部１４４を前方へ移動させて再び定常状態に戻る。
【０１１８】
受光部１３２は、第１の実施の形態と比較して、透過保護部の構成が相違する。この透過保護部は、発光部１３１の透過保護部１４４と同様に、板状部に側壁部（図示せず）が増設された構成となっている。
【０１１９】
［２−２．動作及び効果］
以上の構成において、第２の実施の形態によるレジ釣銭機１０１の硬貨処理部１１１は、光学検出部１３０を発光部１３１及び受光部１３２により構成した。
【０１２０】
光学検出部１３０の発光部１３１は、第１の実施の形態と同様、発光素子４３から検出光Ｌを発光し、透過保護部１４４の板状部４５における位置４５Ａ１を透過させ、フレーム４１の通過孔４１Ａを通過させて選別孔２６Ａ内へ進行させる。
【０１２１】
これに加えて発光部１３１では、透過保護部１４４の板状部４５における短辺方向の両端に、板状部４５近傍の空間をその周辺から隔てると共にフレーム４１と取付板４２との間を塞ぐように側壁部１４６及び１４７を設けた（図７、図８）。
【０１２２】
発光部１３１は、透過保護部１４４の側壁部１４６とフレーム４１との間の隙間が極めて狭くなっているため、周囲からの粉塵等の進入を効果的に防止することができ、これにより第１の実施の形態よりも板状部４５の表面に対する異物ＦＢの付着量を低減させることができる。
【０１２３】
また発光部１３１は、透過保護部１４４の側壁部１４６における清掃モヘア４９Ａと対応する箇所に排出部１４８を形成したことにより、フレーム４１、板状部４５及び側壁部１４６により囲まれる空間内から外部へ粉塵等を排出することができる。
【０１２４】
これにより発光部１３１では、清掃モヘア４９Ａにより板状部４５の表面から払い落とされた異物ＦＢが粉塵等として近傍の空間内に存在していたとしても、排出部１４８を介して外部へ排出することが期待できるので、再び異物ＦＢとして付着する可能性を大幅に低下させることができる。
【０１２５】
さらに透過保護部１４４の側壁部１４７は、取付板４２との間の隙間が極めて狭くなっているため、周囲からの粉塵等の進入を効果的に防止することができ、これにより板状部４５における取付板４２側の表面や発光素子４３の発光面に対する異物の付着を効果的に防止することができる。
【０１２６】
また側壁部１４６及び１４７のいずれも、フレーム４１及び取付板４２との間に僅かな隙間を形成しているため、透過保護部１４４が前後方向へ移動される際に摩擦による抵抗力を殆ど発生させることがなく、スムーズに移動させることができる。
【０１２７】
受光部１３２は、透過保護部１４４と同様の構成でなる透過保護部（図示せず）を有することにより、当該透過保護部１４４と同様に、周囲からの粉塵等の侵入を防止することができ、異物ＦＢの付着量を低減させ、或いは防止することができる。
【０１２８】
その他の点においても、第２の実施の形態による光学検出部１３０は、第１の実施の形態による光学検出部３０と同様の作用効果を奏し得る。
【０１２９】
以上の構成によれば、第２の実施の形態によるレジ釣銭機１０１の硬貨処理部１１１は、透過保護部１４４の板状部４５に側壁部１４６及び１４７を設けたことにより、板状部４５の表面や発光素子４３の発光面の近傍に対する粉塵等の進入を効果的に防止でき、異物ＦＢとしての付着を抑制することができる。また発光部１３１は、異物ＦＢが位置４５Ａ１の近傍に付着した場合には、透過保護部１４４を一時的に後方へ移動させることにより、検出光Ｌに位置４５Ａ２を透過させながら、フレーム４１に取り付けられた清掃モヘア４９Ａにより位置４５Ａ１の異物ＦＢを除去させる。かくしてレジ釣銭機１０１は、運用を停止することなく、光学検出部３０により硬貨ＣＮを適切に検出できる状態を維持することができる。
【０１３０】
［３．第３の実施の形態］
第３の実施の形態によるレジ釣銭機２０１（図１）は、第１の実施の形態によるレジ釣銭機１と比較して、硬貨処理部１１に代わる硬貨処理部２１１を有する点が相違するものの、他の点については同様に構成されている。
【０１３１】
硬貨処理部２１１は、第１の実施の形態による硬貨処理部１１と比較して、光学検出部３０、発光部３１及び受光部３２に代わる光学検出部２３０、発光部２３１及び受光部２３２を有する点が相違するものの、他の点については同様に構成されている。
【０１３２】
［３−１．光学検出部の構成］
図７との対応部分に同一符号を付した図９に示すように、光学検出部２３０の発光部２３１は、発光部１３１と比較して、透過保護部１４４に代わる透過保護部２４４を有する点が相違するものの、他の点については同様に構成されている。
【０１３３】
透過保護部２４４は、透過保護部１４４と比較して、円柱状部４６に代わる円柱状部２４６を有すると共に、栓２４８及び清掃モヘア２４９Ａを有する点が相違するものの、他の部分については同様に構成されている。
【０１３４】
円柱状部２４６は、円柱状部４６が前方向へ延長されたような形状となっており、その前側端部に円板状部４７が取り付けられている。また円柱状部２４６には、円柱状部４６の前端に相当する前方寄りの箇所に、円環状の栓２４８が取り付けられている。
【０１３５】
栓２４８は、その内径が円柱状部２４６の外径とほぼ同等に形成され、その外径が円板状部４７の外径とほぼ同等に、すなわちばね４８の外径よりも大きく形成されている。また栓２４８は、円柱状部２４６の周囲における硬貨処理部筐体２０との間に、ばね４８を自然状態から縮めた状態で挟み込んでいる。
【０１３６】
さらに栓２４８は、可撓性を有する樹脂材料により構成されると共に周方向における所定箇所が切断されており、円柱状部２４６から容易に取り外し、また容易に装着し得るようになされている。
【０１３７】
清掃モヘア２４９Ａは、板状部４５の位置４５Ａ２よりも前方の位置４５Ａ３における取付板４２側の表面に取り付けられている。清掃モヘア２４９Ａは、板状部４５から取付板４２へ向けて伸びた多数の細かく柔らかい毛により構成されている。また清掃モヘア２４９Ａの長さは、清掃モヘア４９Ａよりも短く、板状部４５と発光素子４３Ａの発光面との間隔と同程度若しくはこれよりも僅かに長い程度となっている。
【０１３８】
因みに図９では、説明の都合上、側壁部１４６及び１４７により隠れる清掃モヘア４９Ａ及び２４９Ａ等を実線により示している。
【０１３９】
かかる構成により発光部２３１は、透過保護部２４４に何ら外力が加えられていないときには、第１の実施の形態と同様に定常状態にある（図９（Ａ））。
【０１４０】
そして発光部２３１は、レジ係員の指先等により透過保護部２４４の円板状部４７に後方へ向かう外力が加えられると、ばね４８を圧縮しながら透過保護部２４４を後方へ移動させ、栓２４８と硬貨処理部筐体２０との間でばね４８を最も圧縮した後退状態となる（図９（Ｂ））。
【０１４１】
このとき発光部２３１では、第１の実施の形態と同様（図６（Ｂ））、板状部４５の位置４５Ａ１における表面が清掃モヘア４９により払われるため、当該板状部４５の位置４５Ａ１から異物ＦＢが除去される。
【０１４２】
また発光部２３１は、透過保護部２４４の円柱状部２４６から栓２４８が取り外された状態でレジ係員の指先等により円板状部４７に後方へ向かう外力が加えられると、透過保護部２４４を後退状態（図９（Ｂ））よりも後方へ移動させ、円板状部４７と硬貨処理部筐体２０との間でばね４８を最も圧縮した第２後退状態となる（図９（Ｃ））。
【０１４３】
このとき発光部２３１は、透過保護部２４４の板状部４５における位置４５Ａ３を発光素子４３Ａの発光面と対向させ、清掃モヘア２４９Ａにより当該発光素子４３Ａの発光面を払うことになる。
【０１４４】
その後発光部２３１は、外力が解放されると共に栓２４８が円柱状部２４６に装着されると、定常状態に戻る（図９（Ａ））。
【０１４５】
このように発光部２３１は、加えられる外力に応じて透過保護部１４４を前後方向に移動させるものの、円柱状部２４６に栓２４８が装着されているときには定常状態と後退状態との間で移動させ、栓２４８が取り外されたときには定常状態と第２後退状態との間で移動させるようになされている。
【０１４６】
受光部２３２は、第２の実施の形態と比較して、透過保護部の構成が相違する。この透過保護部は、発光部２３１の透過保護部２４４と同様に構成されており、円柱状部が延長されると共に栓が設けられ、また板状部に清掃モヘア２４９Ａと同様の清掃モヘア（図示せず）が設けられている。
【０１４７】
［３−２．動作及び効果］
以上の構成において、第３の実施の形態によるレジ釣銭機２０１の硬貨処理部２１１は、光学検出部２３０を発光部２３１及び受光部２３２により構成した。
【０１４８】
光学検出部２３０の発光部２３１は、第２の実施の形態と同様、発光素子４３から検出光Ｌを発光し、透過保護部２４４の板状部４５における位置４５Ａ１を透過させ、フレーム４１の通過孔４１Ａを通過させて選別孔２６Ａ内へ進行させる。
【０１４９】
さらに発光部２３１では、透過保護部２４４において、前後に延長された円柱状部２４６及び着脱可能な栓２４８を設けると共に、板状部４５の取付板４２と対向する面における位置４５Ａ３に清掃モヘア２４９Ａを設けた（図９（Ａ））。
【０１５０】
表示操作部１３（図１）に所定の警告が表示され、異物ＦＢの付着が通知されると、レジ係員は、第１の実施の形態と同様、指先等により透過保護部２４４の円板状部４７を後方向へ押し込む。
【０１５１】
これに応じて発光部２３１は、透過保護部２４４及びその一部である板状部４５が後方向へ移動し、栓２４８と硬貨処理部筐体２０との間でばね４８を最も圧縮して後退状態となる（図９（Ｂ））。
【０１５２】
このとき透過保護部２４４は、第１及び第２の実施の形態と同様、検出光Ｌを遮ることなく、清掃モヘア４９Ａにより板状部４５の位置４５Ａ１におけるフレーム４１側の表面を払い、異物ＦＢを除去することができる。
【０１５３】
ここで、一連の操作によっても表示操作部１３（図１）に表示された警告が消灯しない場合、板状部４５では無く、発光素子４３Ａの発光面に異物ＦＢが付着している可能性が高い。
【０１５４】
このような場合、発光部２３１は、レジ係員等により透過保護部２４４から栓２４８を取り外させた上で透過保護部２４４の円板状部４７を後方向へ押し込ませ、第２後退状態（図９（Ｃ））とする。
【０１５５】
このとき発光部２３１は、板状部４５の位置４５Ａ３における取付板４２側の表面に設けた清掃モヘア２４９Ａにより発光素子４３Ａの発光面を払うことができるので、当該発光面に付着した異物ＦＢを払い落とし、或いは絡め取ることにより、当該異物ＦＢを除去することができる。
【０１５６】
すなわち第３の実施の形態による発光部２３１では、フレーム４１の通過孔４１Ａを通じて進入する粉塵等をまず板状部４５の表面に異物ＦＢとして付着させることにより、透過保護部２４４の前後方向への移動により検出光Ｌを遮ることなく異物ＦＢを除去することができる。
【０１５７】
また発光部２３１では、それでも発光素子４３Ａの発光面に異物ＦＢが付着した場合には、栓２４８を取り外させ透過保護部２４４を後方向へ押し込ませて第２後退状態（図９（Ｃ））とし、清掃モヘア２４９Ａによりこの異物ＦＢを除去させることができる。
【０１５８】
このとき発光部２３１は、一時的に検出光Ｌを遮ることにはなるものの、硬貨処理部２１１の分解清掃まで行わせる必要がなく、レジ釣銭機２０１における運用停止期間を極めて短い時間に抑えることができる。
【０１５９】
さらに発光部２３１では、第２の実施の形態と同様、板状部４５に側壁部１４６及び１４７を設けたことにより、発光素子４３Ａの発光面近傍における空間の密閉性を高め、粉塵等の進入を効果的に抑制することができる。
【０１６０】
これにより発光部２３１は、発光素子４３Ａの発光面に対する異物ＦＢの付着を抑えることができるので、第２後退状態を利用することによりレジ釣銭機２０１の運用を停止してしまう頻度を格段に減少させることができる。
【０１６１】
また受光部２３２は、透過保護部２４４と同様の構成でなる透過保護部（図示せず）を有することにより、当該透過保護部２４４と同様に、後退状態を利用した板状部４５のからの異物ＦＢの除去に加えて、第２後退状態を利用した発光素子４３Ａの発光面からの異物ＦＢの除去を容易に且つ短時間で完了することができる。
【０１６２】
その他の点においても、第３の実施の形態による光学検出部２３０は、第１の実施の形態による光学検出部３０及び第２の実施の形態による光学検出部１３０と同様の作用効果を奏し得る。
【０１６３】
以上の構成によれば、第３の実施の形態によるレジ釣銭機２０１の硬貨処理部２１１は、発光部２３１において、異物ＦＢが位置４５Ａ１の近傍に付着した場合には、透過保護部２４４を後退位置まで移動させることにより、検出光Ｌを板状部４５により透過させながら、フレーム４１に取り付けられた清掃モヘア４９Ａにより位置４５Ａ１の異物ＦＢを除去させる。また発光部２３１は、異物ＦＢが発光素子４３Ａの発光面に付着した場合には、透過保護部２４４を第２後退位置まで移動させることにより、検出光Ｌを遮りながらも清掃モヘア２４９Ａにより発光面から異物ＦＢを除去させる。かくしてレジ釣銭機１０１は、運用を極力継続し、停止する場合には停止期間を極めて短時間に抑えることにより、光学検出部３０により硬貨ＣＮを適切に検出できる状態を維持することができる。
【０１６４】
［４．他の実施の形態］
なお上述した第１の実施の形態においては、透過保護部４４の板状部４５を透明な樹脂材料により構成するようにした場合について述べた。
【０１６５】
しかしながら本発明はこれに限らず、板状部４５を例えばガラス材料や所定の色に着色された樹脂材料等で構成しても良く、要は板状部４５が検出光Ｌの波長を受光素子５３において受光できる程度の透過率で透過させ得ると共に粉塵等を物理的に遮断できれば良い。第２及び第３の実施の形態についても同様である。
【０１６６】
また上述した第１の実施の形態においては、板状部４５の延長方向を、検出光Ｌの進行方向である矢印Ｙ方向とほぼ直交する前後方向とするようにした場合について述べた。
【０１６７】
しかしながら本発明はこれに限らず、矢印Ｙ方向に対し板状部４５の延長方向及び移動方向が任意の角度で交差するようにしても良い。ただしこの場合、板状部４５の表面において検出光Ｌの屈折が生じる可能性があるため、矢印Ｙ方向に対する当該板状部４５の延長方向及び移動方向の交差角度を極力９０度に近づけることが好ましい。第２及び第３の実施の形態についても同様である。
【０１６８】
さらに上述した第１の実施の形態においては、透過保護部４４に加えられていた外力が解放されたときに、コイルばねでなるばね４８の復元力により当該透過保護部４４を前方向へ付勢し定常状態に戻すようにした場合について述べた。
【０１６９】
しかしながら本発明はこれに限らず、例えばばね４８に代えて板ばねやゴムのような弾性材料を適宜用い、この弾性材料の弾性力を利用し透過保護部４４を前方向へ付勢して定常状態に戻すようにしても良く、或いはばね４８を省略してレジ係員等の手作業により透過保護部４４を定常状態に戻すようにしても良い。第２及び第３の実施の形態についても同様である。
【０１７０】
さらに上述した第１の実施の形態においては、透過保護部４４の一部である円柱状部４６を介し、円板状部４７に加えられた外力や復元力を板状部４５に直接的に伝達することにより、当該板状部４５を前後方向へ移動するようにした場合について述べた。
【０１７１】
しかしながら本発明はこれに限らず、例えば所定のギアやリンク機構等を介して外力を伝達することにより、板状部４５を移動させるようにしても良い。第２及び第３の実施の形態についても同様である。
【０１７２】
さらに上述した第２の実施の形態においては、透過保護部１４４の板状部４５の短辺方向における両端近傍に側壁部１４６及び１４７を設けることにより、粉塵等の進入を防止するようにした場合について述べた。
【０１７３】
しかしながら本発明はこれに限らず、例えば透過保護部１４４から側壁部１４６及び１４７を省略すると共に、当該側壁部１４６及び１４７に相当する側壁部をフレーム４１側及び取付板４２側にそれぞれ設けるようにしても良い。この場合、要は透過保護部１４４の前後方向への移動を妨げず、且つ周囲からの粉塵等の進入を抑制することができれば良い。
【０１７４】
また、例えば透過保護部１４４から側壁部１４６を省略し、側壁部１４７のみを設けるようにしても良い。さらには、側壁部１４６に設ける排出部１４８については、任意の箇所に設けると共に任意の形状としても良く、若しくは省略しても良い。第３の実施の形態についても同様である。
【０１７５】
さらに上述した第３の実施の形態においては、円柱状部２４６から栓２４８を取り外すことにより、透過保護部２４４を第２後退状態まで移動できるようにするようにした場合について述べた。
【０１７６】
しかしながら本発明はこれに限らず、例えば栓２４８を前方向へ摺動させ円板状部２４７に近接させることにより透過保護部２４４を第２後退状態まで移動できるようにしても良い。また透過保護部２４４においては、栓２４８に代えて種々の形状でなる着脱可能な部材を設けるようにしても良い。
【０１７７】
さらに上述した第３の実施の形態においては、透過保護部２４４における板状部４５の位置４５Ａ３に清掃モヘア２４９Ａを設け、透過保護部２４４を後退状態からさらに後方向へ移動させた第２後退状態とすることにより当該清掃モヘア２４９Ａにより発光素子４３Ａの発光面を払わせるようにした場合について述べた。
【０１７８】
しかしながら本発明はこれに限らず、例えば透過保護部２４４における板状部４５の位置４５Ａ１から見て位置４５Ａ２と反対の位置に（すなわち位置４５Ａ１よりも後方に）清掃モヘア２４９Ａを設けると共に、硬貨処理部筐体２０の孔部２０Ｈ近傍を可動式に構成する等してストッパ４６Ｓとの当接を一時的に回避できるようにしても良い。この場合、透過保護部２４４を定常状態よりも前方へ移動させることにより、清掃モヘア２４９Ａにより発光素子４３Ａの発光面を払わせることができる。
【０１７９】
さらに上述した第１の実施の形態においては、硬貨処理部１１内において硬貨収納庫２７Ａ〜２７Ｆを前後方向に互いに隣接するよう配置し、これに伴い搬送部２４を前後方向に走行させ選別孔２６Ａ〜２６Ｆも前後方向に互いに隣接して配置した上で、硬貨処理部筐体２０の前側面から透過保護部４４の円柱状部４６及び円板状部４７を突出させるようにした場合について述べた。
【０１８０】
しかしながら本発明はこれに限らず、例えば硬貨処理部１１内において硬貨収納庫２７Ａ〜２７Ｆを左右方向に互いに隣接するよう配置し、これに伴い搬送部２４を左右方向に走行させ選別孔２６Ａ〜２６Ｆも左右方向に互いに隣接して配置するようにして、硬貨処理部筐体２０の左側面から透過保護部４４の円柱状部４６及び円板状部４７を突出させるようにしても良い。第２及び第３の実施の形態についても同様である。
【０１８１】
さらに上述した第１の実施の形態においては、発光部３１の透過保護部４４と受光部３２の透過保護部５４とを互いに独立して前後方向へ移動させるようにした場合について述べた。
【０１８２】
しかしながら本発明はこれに限らず、例えば発光部３１の透過保護部４４と受光部３２の透過保護部５４とを連結し、レジ係員等の操作により、透過保護部４４及び５４を一体として前後に移動させるようにしても良い。第２及び第３の実施の形態についても同様である。
【０１８３】
さらに上述した第１の実施の形態においては、選別孔２６Ａ〜２６Ｆの各発光部３１において板状部４５を前後方向に長く形成することにより、透過保護部４４を共有するようにした場合について述べた。
【０１８４】
しかしながら本発明はこれに限らず、各発光部３１の透過保護部４４をそれぞれ独立させるようにしても良く、或いは２箇所や３箇所といった任意の単位で各発光部３１における透過保護部４４を共有するようにしても良い。受光部３２の透過保護部５４や第２及び第３の実施の形態についても同様である。
【０１８５】
さらに上述した第１の実施の形態においては、光学検出部３０を選別孔２６Ａ〜２６Ｆに設けるようにした場合について述べた。
【０１８６】
しかしながら本発明はこれに限らず、光学検出部３０を搬送部２４又は２８における任意の箇所や硬貨投入口２２、或いは硬貨収納庫２７Ａ〜２７Ｆ等といった様々な箇所に設けるようにしても良い。第２及び第３の実施の形態についても同様である。
【０１８７】
さらに上述した第１の実施の形態においては、レジ釣銭機１の硬貨処理部１１において、媒体としての硬貨ＣＮを検出する光学検出部３０に本発明を適用するようにした場合について述べた。
【０１８８】
しかしながらこれに限らず、例えばレジ釣銭機１の紙幣処理部１２や現金自動預払機において、媒体として紙幣を検出する光学検出部や、自動券売機において媒体として入場券や乗車券等を検出する光学検出部、或いは機械部品の製造装置等において媒体として当該機械部品を検出する光学検出部等、種々の媒体を光学的に検出する光学検出部に本発明を適用するようにしても良い。
【０１８９】
さらに上述した第１の実施の形態においては、隔壁としてのフレーム４１と、光学素子としての発光素子４３と、透過保護部としての透過保護部４４と、支持部としての支持柱４１Ｓ及び４２Ｓと、清掃部としての清掃モヘア４９とによって光学検出装置としての発光部３１を構成する場合について述べた。
【０１９０】
しかしながら本発明はこれに限らず、その他種々の構成でなる隔壁と、光学素子と、透過保護部と、支持部と、清掃部とによって光学検出装置を構成するようにしても良い。
【０１９１】
さらに上述した第１の実施の形態においては、投入部としての硬貨投入口２２と、収納庫としての硬貨収納庫２７Ａと、搬送部としての搬送部２４及び選別孔２６Ａと、検出部としての光学検出部３０と、隔壁としてのフレーム４１と、光学素子としての発光素子４３と、透過保護部としての透過保護部４４と、支持部としての支持柱４１Ｓ及び４２Ｓと、清掃部としての清掃モヘア４９とによって硬貨処理装置としての硬貨処理部１１を構成する場合について述べた。
【０１９２】
しかしながら本発明はこれに限らず、その他種々の構成でなる投入部と、収納庫と、搬送部と、検出部と、隔壁と、光学素子と、透過保護部と、支持部と、清掃部とによって硬貨処理装置を構成するようにしても良い。
【産業上の利用可能性】
【０１９３】
本発明は、硬貨や紙幣、或いは機械部品等の媒体を、当該媒体により遮断される検出光Ｌを用いて検出する種々の光学検出装置等でも利用できる。
【符号の説明】
【０１９４】
１、１０１、２０１……レジ釣銭機、１１、１１１、２１１……硬貨処理部、２０……硬貨処理部筐体、２１……制御部、２２……硬貨投入口、２３……硬貨鑑別部、２４、２８……搬送部、２６Ａ〜２６Ｆ……選別孔、２７Ａ〜２７Ｆ……硬貨収納庫、２９……硬貨排出口、３０、１３０、２３０……光学検出部、３１、１３１、２３１……発光部、３２、１３２、２３２……受光部、４１、５１……フレーム、４１Ａ……通過孔、４１Ｓ、４２Ｓ……支持柱、４２、５２……取付板、４３……発光素子、４４、１４４、２４４……透過保護部、４５……板状部、４５Ａ１、４５Ａ２、４５Ａ３……位置、４６、２４６……円柱状部、４６Ｓ……ストッパ、４７……円板状部、４８……ばね、４９Ａ、２４９Ａ……清掃モヘア、１４６、１４７……側壁部、１４８……排出部、２４８……栓、ＣＮ……硬貨、ＦＢ……異物。
【図１】
0005810839.tif 000002
【図２】
0005810839.tif 000003
【図３】
0005810839.tif 000004
【図４】
0005810839.tif 000005
【図５】
0005810839.tif 000006
【図６】
0005810839.tif 000007
【図７】
0005810839.tif 000008
【図８】
0005810839.tif 000009
【図９】
0005810839.tif 000010
【図１０】
0005810839.tif 000011